(57)【要約】【課題】ケーブルの弛みに起因する異音や断線の発生を防ぐことができる入力装置を提供すること。【解決手段】ユーザーにより操作される操作部材２と、該操作部材２を操作されていない初期位置から平面方向にスライド移動可能に支持するベース体３と、前記操作部材２に固定された可動側基板４と、前記ベース体３に固定された固定側基板５と、前記可動側基板４と前記固定側基板５とを電気的に接続するケーブル６と、を備えた入力装置１において、前記ケーブル６の一端を前記固定側基板５に固定し、同ケーブル６の他端に、前記可動側基板４に形成された電極部２０と接触する摺動接点２３を取り付けるとともに、該摺動接点２３を前記電極部２０に向けて付勢するコンタクトスプリング（付勢手段）２４を設ける。【選択図】図５
2019109976.tif 000002
【特許請求の範囲】
【請求項１】
ユーザーにより操作される操作部材と、
該操作部材を操作されていない初期位置から平面方向にスライド移動可能に支持するベース体と、
前記操作部材に固定された可動側基板と、
前記ベース体に固定された固定側基板と、
前記可動側基板と前記固定側基板とを電気的に接続するケーブルと、
を備えた入力装置において、
前記ケーブルの一端を前記固定側基板又は前記可動側基板に固定し、同ケーブルの他端に、前記可動側基板又は前記固定側基板に形成された電極部と接触する摺動接点を取り付けるとともに、該摺動接点を前記電極部に向けて付勢する付勢手段を設けたことを特徴とする入力装置。
【請求項２】
前記電極部を、前記操作部材の初期位置及び前記操作部材が前記初期位置からスライド移動した操作位置において前記摺動接点と接触する範囲に形成したことを特徴とする請求項１記載の入力装置。
【請求項３】
前記電極部は、前記操作部材の初期位置において前記摺動接点と接触する第１電極部と、前記操作部材が初期位置からスライド移動した操作位置において前記摺動接点と接触する第２電極部とから成り、
前記固定側基板は、前記摺動接点の第１電極部と第２電極部との電気的接続状態の変化に応じて前記操作部材のスライド操作を検出する検出部を備えることを特徴とする請求項１又は２記載の入力装置。
【請求項４】
前記操作部材は、前記可動側基板に電気的に接続されたタッチパッドを有することを特徴とする請求項１〜３の何れかに記載の入力装置。
【発明の詳細な説明】
【技術分野】
【０００１】
本発明は、操作部材に固定された可動側基板とベース体に固定された固定側基板とをケーブルによって電気的に接続して成る入力装置に関するものである。
【背景技術】
【０００２】
例えば、自動車に設けられたオーディオ、ナビゲーション装置、エアコン等の各種機器を操作する入力装置として多方向スイッチが用いられている（例えば、特許文献１参照）。この多方向スイッチは、多方向に操作可能な操作つまみ（操作体）を備えており、この操作つまみをスライド操作、回転操作又はプッシュ操作することによって多様な機能の操作を行うものである。
【０００３】
この種の多方向スイッチを用いて例えば自動車のオーディオを操作する場合、ディスプレイ上にラジオ、ＣＤ、カセットテープ等の複数のオーディオ機器を表示するとともに、操作つまみをスライド操作してディスプレイ上のカーソルを移動させて所望のオーディオ機器を選択した後、同じ操作つまみをプッシュ操作し、選択したオーディオ機器を確定させることが行われる。
【０００４】
ところで、多方向スイッチ等の入力装置には、例えば、操作つまみ（操作体）に電気部品等を実装した第１の基板を配置するとともに、操作つまみを支持するハウジングに第２の基板を配設し、これらの第１の基板と第２の基板とをハーネスやフラットケーブル（以下、「ケーブル」と総称する）によって電気的に接続する構成を採用したものがある。
【先行技術文献】
【特許文献】
【０００５】
【特許文献１】特許第４１４４２４２号
【発明の概要】
【発明が解決しようとする課題】
【０００６】
しかしながら、上述のように第１の基板と第２の基板とをケーブルによって電気的に接続する構成を採用した入力装置においては、操作つまみ（操作体）の非作動時にはケーブルが弛み、このケーブルが振動等によって他の部品と接触して異音が発生したり、削れによって断線する等の不具合が発生する。又、操作や振動等によってケーブルの曲げ伸ばしが繰り返されるために当該ケーブルの断線が発生する可能性がある。
【０００７】
本発明は上記問題に鑑みてなされたもので、その目的とする処は、ケーブルの弛みに起因する異音や断線の発生を防ぐことができる入力装置を提供することにある。
【課題を解決するための手段】
【０００８】
上記目的を達成するため、請求項１記載の発明は、
ユーザーにより操作される操作部材と、
該操作部材を操作されていない初期位置から平面方向にスライド移動可能に支持するベース体と、
前記操作部材に固定された可動側基板と、
前記ベース体に固定された固定側基板と、
前記可動側基板と前記固定側基板とを電気的に接続するケーブルと、
を備えた入力装置において、
前記ケーブルの一端を前記固定側基板又は前記可動側基板に固定し、同ケーブルの他端に、前記可動側基板又は前記固定側基板に形成された電極部と接触する摺動接点を取り付けるとともに、該摺動接点を前記電極部に向けて付勢する付勢手段を設けたことを特徴とする。
【０００９】
請求項２記載の発明は、請求項１記載の発明において、前記電極部を、前記操作部材の初期位置及び前記操作部材が前記初期位置からスライド移動した操作位置において前記摺動接点と接触する範囲に形成したことを特徴とする。
【００１０】
請求項３記載の発明は、請求項１又は２記載の発明において、前記電極部は、前記操作部材の初期位置において前記摺動接点と接触する第１電極部と、前記操作部材が初期位置からスライド移動した操作位置において前記摺動接点と接触する第２電極部とから成り、
前記固定側基板は、前記摺動接点の第１電極部と第２電極部との電気的接続状態の変化に応じて前記操作部材のスライド操作を検出する検出部を備えることを特徴とする。
【００１１】
請求項４記載の発明は、請求項１〜３の何れかに記載の発明において、前記操作部材は、前記可動側基板に電気的に接続されたタッチパッドを有することを特徴とする。
【発明の効果】
【００１２】
請求項１記載の発明によれば、操作部材と共に可動側基板がスライドすると、該可動側基板又は固定側基板の電極部がケーブルの一端に取り付けられた摺動接点に対して摺動するため、ケーブルが動くことがなく、可動側基板によってケーブルが引っ張られたりすることがない。このため、可動側基板のスライド量を考慮してケーブルの長さを予め長く設定しておく必要がなく、操作部材が初期位置にある状態においてもケーブルが弛むことがない。従って、ケーブルが振動等によって他の部品と接触して異音が発生したり、削れによって断線する等の不具合が発生することがない。又、操作や振動等によってケーブルの曲げ伸ばしが繰り返されることもないため、該ケーブルの断線が発生することもない。
【００１３】
請求項２記載の発明によれば、可動側基板の電極部が操作部材の初期位置及び操作位置において摺動接点と接触する範囲に形成されているため、操作部材がスライド移動しても可動側基板と固定側基板との電気的な接続が確保される。
【００１４】
請求項３記載の発明によれば、摺動接点の第１電極部と第２電極部との電気的接続状態の変化によって操作部材のスライド操作を検出することができるため、構成が簡素化される。
【００１５】
請求項４記載の発明によれば、タッチパッドからの信号が入力及び処理される可動側基板をタッチパッドの近傍に設けることができるため、該タッチパッドと可動側基板とを接続するタッチパッド配線部の長さは短くて良く、周辺の電子機器からの電磁波によるノイズを受けにくい入力装置とすることができ、該入力装置のノイズによる誤作動を防ぐことができる。
【図面の簡単な説明】
【００１６】
【図１】本発明の実施の形態１に係る入力装置の斜視図である。
【図２】本発明の実施の形態１に係る入力装置の平面図である。
【図３】図２のＡ−Ａ線断面図である。
【図４】本発明の実施の形態１に係る入力装置の操作部材をプッシュ操作した状態を示す縦断面図である。
【図５】本発明の実施の形態１に係る入力装置の操作部材をスライド操作した状態を示す縦断面図である。
【図６】（ａ）〜（ｃ）は本発明の実施の形態１に係る入力装置におけるスライド操作時の摺動接点と電極部との接触状態を示す平面図である。
【図７】本発明の実施の形態１に係る入力装置の操作部材を回転操作した状態を示す縦断面図である。
【図８】本発明の実施の形態２に係る入力装置の縦断面図である。
【図９】本発明の実施の形態２に係る入力装置の操作部材をスライド操作した状態を示す縦断面図である。
【発明を実施するための形態】
【００１７】
以下に本発明の実施の形態を添付図面に基づいて説明する。
【００１８】
＜実施の形態１＞
図１は本発明の実施の形態１に係る入力装置の斜視図、図２は同入力装置の平面図、図３は図２のＡ−Ａ線断面図、図４は本発明の実施の形態１に係る入力装置の操作部材をプッシュ操作した状態を示す縦断面図、図５は同入力装置の操作部材をスライド操作した状態を示す縦断面図、図６（ａ）〜（ｃ）は同入力装置におけるスライド操作時の摺動接点と電極部との接触状態を示す平面図、図７は同入力装置の操作部材を回転操作した状態を示す縦断面図である。
【００１９】
本実施の形態に係る入力装置１は、図１〜図３に示すように、ユーザーにより操作される操作部材２と、該操作部材２を平面方向（水平方向）にスライド移動可能に支持するベース体（ケース）３と、前記操作部材２に固定された可動側基板４と、前記ベース体３に固定された固定側基板５と、これらの可動側基板４と固定側基板５とを電気的に接続するケーブル６を含んで構成されている。
【００２０】
上記操作部材２は、円筒状のダイヤルノブ７と、該ダイヤルノブ７の上面開口部を覆うように配置された円板状のタッチパッド８と、このタッチパッド８の周囲を囲むように配置されたリング９によって構成されている。尚、図３に示すように、タッチパッド８の表面には、薄い円板状のディスプレイ１０が被着されており、このディスプレイ１０には、図２に示すように、操作部材２のスライド移動方向（直交する左右及び前後の４方向）を示す三角印１１ａ，１１ｂ，１１ｃ，１１ｄが表示されている。
【００２１】
又、図３に示すように、ダイヤルノブ７の内部には、円筒部材であるロータ１２が配置されており、ダイヤルノブ７は、その内面の複数箇所（図３には２箇所にみ図示）に突設された係合爪７ａに、ロータ１２の周囲の複数箇所（係合爪７ａに対応する複数箇所）に設けられた係合孔１２ａを係合させることによって、ロータ１２に固定されている。そして、このロータ１２の内部には、二重円筒部材であるホルダ１３が配置されており、このホルダ１３には、ロータ１２とこれに固定されたダイヤルノブ７が鉛直の中心軸を中心として回転可能に支持されている。又、このホルダ１３の上部外周には係合爪１３ａが突設されており、この係合爪１３ａがリング９に形成された係合孔９ａに係合することによって、リング９がホルダ１３に固定されている。
【００２２】
ところで、図３に示すように、上記ホルダ１３の上面には前記タッチパッド８が水平に固定されており、該ホルダ１３の内部には、円板状の前記可動側基板４が水平に収容されて配置されている。この可動側基板４は、これに上方から挿通するネジ１４をホルダ１３に形成されたボス１３Ａにねじ込むことによってホルダ１３に固定されている。ここで、可動側基板４とタッチパッド８とは、可動側基板４の上面に取り付けられたコネクタ１５と該コネクタ１５から延びるタッチパッドへ緯線部８ａによって電気的に接続されている。又、ホルダ１３には、下方に向かって開口する円筒状のボス１３Ｂが一体に形成されており、このボス１３Ｂの内部には、付勢手段であるアクションスプリング１７によって下方に付勢されたスチールボール１８が収容されている。そして、このスチールボール１８は、ホルダ１３に対して回転可能なロータ１２の一部に突設された突起１２Ａに押圧されている。尚、図示しないが、突起１２Ａの上面には複数の凹凸が形成されており、後述のようにユーザーがダイヤルノブ７を回転操作すると、該ダイヤルノブ７と共にロータ１２がホルダ１３に対して回転するため、スチールボール１８がロータ１２の突起１２Ａに形成された凹凸に選択的に係合する。これによってダイヤルノブ７の回転操作にクリック感（節度感）が付与される。
【００２３】
又、可動側基板４の下面には、ダイヤルノブ７の回転を検出するためのディテクタスイッチ１９が固定されており、このディテクタスイッチ１９の作動子１９ａは、その先端部がロータ１２に形成された凹凸１２ｂに係合している。ここで、ユーザーによってダイヤルノブ７が回転操作されてロータ１２がホルダ１３や可動側基板４に対して回転すると、可動側基板４に固定されたディテクタスイッチ１９の作動子１９ａがロータ１２の凹凸１２ｂによって傾き／戻り動作するためにダイヤルノブ７の回転操作と回転量がディテクタスイッチ１９によって検出される。
【００２４】
更に、可動側基板４の下面には電極部２０が形成されているが、この電極部２０は、導電性金属によって構成されており、図６（ａ），（ｂ）に示すように、中心部に配置された円形の第１電極部２０ａと、この第１電極部２０ａの周囲に配置された８つの第２電極部２０ｂ，２０ｃ，２０ｄ，２０ｅ，２０ｆ，２０ｇ，２０ｈ，２０ｉとで構成されている。
【００２５】
他方、図３に示すように、前記ベース体３の中心部には円筒部３Ａが一体に形成されており、この円筒部３Ａには、円筒状部材であるスライダ２１が上下摺動可能に嵌合保持されている。又、ベース体３の下面には、前記固定側基板５が水平に固定されている。ここで、ベース体３とスライダ２１は、非導電性樹脂によって構成されている。
【００２６】
上記スライダ２１の上部には、図３に示すように、高さの異なる円筒状のボス２１Ａ，２１Ｂ，２１Ｃが垂直上方に向かって一体に立設されており、高さの高いボス２１Ａの内部には、固定側基板５の上面に取り付けられたコネクタ２２から垂直上方に向かって延びる前記ケーブル６が挿通している。より詳細には、コネクタ２２から水平に延びるケーブル６は、途中で直角上方へと折り曲げられて垂直上方へと延びており、この垂直上方に延びる部分がボス２１Ａを貫通して保持されている。そして、このケーブル６の垂直上方に延びる部分の上端には、導電性金属によって構成された摺動接点２３が取り付けられている。ここで、摺動接点２３は、スライダ２１のボス２１Ａ内に上下動可能に保持されており、ボス２１Ａの内部に縮装された付勢手段であるコンタクトスプリング２４によって上方に一定荷重で付勢されて可動側基板４の電極部２０に接触している。従って、可動側基板４と固定側基板５とは、コネクタ２２とこれから延びるケーブル６、該ケーブル６の一端に取り付けられた摺動接点２３及び該摺動接点２３に接触する電極部２０によって電気的に接続されている。尚、摺動接点２３は、その電極部２０との接触部である頂面が半球面状に形成されており、このように構成することによって該摺動接点２３の電極部２０への接触面積が小さく抑えられている。
【００２７】
又、スライダ２１に立設された高さの低い一方のボス２１Ｂの内部にはスチールボール２５が収容されており、このスチールボール２５は、付勢手段であるアクションスプリング２６によって上方に付勢されてホルダ１３の下面に押圧されている。ここで、ホルダ１３の下面には、複数の凹凸１３ｂが形成されており、この凹凸１３ｂにスチールボール２５が係合することによって、ユーザーによる操作部材２のスライド操作にクリック感（節度感）が付与される。
【００２８】
ここで、ホルダ１３は、スライダ２１に対して平面方向（水平方向）にスライド可能に取り付けられている。具体的には、図３に示すように、ホルダ１３には円孔１３ｃが形成されており、この円孔１３ｃを上方から覆うようにブッシュ２７が被せられ、このブッシュ２７の中心部に上方から挿通するネジ２８をスライダに立設された高さの低い他方のボス２１Ｃにねじ込むことによって、ホルダ１３がスライダ２１に対して平面方向（水平方向）に移動可能に取り付けられている。
【００２９】
又、スライダ２１の中心部には、垂直下方に延びる押圧子２１Ｄが一体に形成されており、この押圧子２１Ｄの下端部は、固定側基板５の上面に固定されたモメンタリスイッチ２９に接触している。このモメンタリスイッチ２９が押圧子２１Ｄによって押圧されることによって、ユーザーによる操作部材２のプッシュ操作にクリック感（節度感）が付与される。尚、操作部材２が、これが操作されていない図３に示す初期位置にある状態においては、モメンタリスイッチスイッチ２９はスライダ２１の押圧子２１Ｄによって押圧されていないためにＯＦＦ（非検出状態）にある。
【００３０】
次に、以上のように構成された入力装置１において操作部材２がプッシュ操作、スライド操作及び回転操作された場合の作用について説明する。
【００３１】
１）プッシュ操作：
操作部材２がユーザーによって操作されていない図３に示す初期位置にあるときから操作部材２が図４に示すようにプッシュ操作されると、該操作部材２（ダイヤルノブ７、タッチパッド８及びリング９）と共にホルダ１３と、これに固定された可動側基板４とスライダ２１、ダイヤルノブ７に固定されたロータ１２が一体となってベース体３に対して下動する。
【００３２】
上述のように、スライダ２１がベース体３に対して下動すると、該スライダ２１から垂直下方に延びる押圧子２１Ｄが固定側基板５上のモメンタリスイッチ２９を押圧してこれをＯＮするため、ユーザーによる操作部材２の押圧操作が検出される。この押圧操作においては、ケーブル６の一端に取り付けされた摺動接点２３は、可動側基板４の電極部２０に接触した状態で可動側基板４とスライダ２１と共に下動するため、可動側基板４と固定側基板５とはケーブル６を介して電気的に接続されているが、ケーブル６の他端は固定側基板５のコネクタ２２に連結されているため、摺動接点２３の下動に伴ってケーブル６のコネクタ２２への接続部分の一部に図示のような若干の弛みが発生する。この場合、ケーブル６の大部分は、スライダ２１に固定され、一部が部分的に弛むだけであるため、ケーブル６の弛みに起因する異音や断線の発生が防がれる。
【００３３】
２）スライド操作：
操作部材２が図３に示す初期位置にあるときから図５に示すように例えば左方（図２の三角印１１ｄ方向）にスライド操作されると、該操作部材２（ダイヤルノブ７、タッチパッド８及びリング９）と共にホルダ１３と、これに固定された可動側基板４、ダイヤルノブ７に固定されたロータ１２が一体となってスライダ２１とベース体３に対して左方にスライドする。このとき、操作部材２等のスライド量は、図５に示すように、ロータ１２がベース体３に当接することによって所定値に規制される。又、操作部材２がスライド操作されると、該操作部材２と共にスライドするホルダ１３に形成された凹凸１３ｂのスチールボール１５との係合が変化するため、操作部材２のスライド操作にクリック感（節度感）が付与される。
【００３４】
ここで、操作部材２が図３に示す初期位置にあるときには、ケーブル６の一端に取り付けられた摺動接点２３は、図６（ａ）に示すように、可動側基板４に形成された電極部２０の中央の第１電極部２０ａに接触する。そして、操作部材２が図５に示すように左方（図２の三角印１１ｄ方向）にスライド操作されると、摺動接点２３は、図６（ｂ）に示すように電極部２０の１つの第２電極部２０ｄに接触する。このように、摺動接点２３が電極部２０の１つの第１電極部２０ａと８つの第２電極部２０ｂ〜２０ｉの何れに接触しているかによって、操作部材２がスライド操作されたか否かの検出と、スライド操作された場合には何れの方向にスライド操作されたかが固定側基板５に設けられた不図示の検出部によって検出される。スライド操作方向の検出においては、摺動接点２３が図６（ｂ）に示す第２電極部２０ｈに接触した場合には、操作部材２が図５の右方（図２の三角印１１ｂ方向）にスライド操作されたことが検出される。以下、同様に操作部材２が第２電極部２０ｂ，２０ｆ，２０ｉ，２０ｃ，２０ｇ，２０ｅに接触した場合には、操作部材２が図５の奥側（図２の三角印１１ａ方向）、手前側（図２の三角印１１ｃ方向）、斜め右奥側（図２の三角印１１ａと１１ｂの間の方向）、斜め左奥側（図２の三角印１１ａと１１ｄの間の方向）、斜め右手前側（図２の三角印１１ｂと１１ｃとの間）、斜め左手前側（図２の三角印１１ｃと１１ｄの間の方向）にそれぞれスライド操作されたことが検出される。このように、摺動接点２３の第１電極部２０ａと第２電極部２０ｂ〜２０ｉとの電気的接続状態の変化によって操作部材２のスライド操作を検出することができるため、構成が簡素化される。尚、図６（ａ）は図３を下方から見た図、図６（ｂ）は図５を下方から見た図である。
【００３５】
尚、本実施の形態では、可動側基板４の電極部２０（第１電極部２０ａと第２電極部２０ｂ〜２０ｉ）が操作部材２の初期位置及びスライド位置において摺動接点２３と接触する範囲に形成されているため、操作部材２がスライド移動しても可動側基板４と固定側基板５との電気的な接続が確保される。又、前述のように摺動接点２３の電極部２０に接触する頂面は半球面状に形成されて該摺動接点２３と電極部２０との接触面積が小さく抑えられているため、可動側基板４のスライド移動時の電極部２０の摺動抵抗が小さく抑えられる。
【００３６】
尚、本実施の形態では、電極部２０を１つの第１電極部２０ａと８つの第２電極部２０ｂ〜２０ｉとで構成したが、これらの第１電極部２０ａと第２電極部２０ｂ〜２０ｉを繋げて図６（ｃ）に示すように１つの円形の電極部２０とし、操作部材２をスライド操作しても電極部２０と摺動接点２３とが常に接触するよう構成すれば、可動側基板４と固定側基板５との電気的な接続が安定的になされる。但し、この場合には、電極部２０によって操作部材２のスライド操作の検出はできないため、スライド操作を検出するための検出機構を別途設ける必要がある。
【００３７】
而して、操作部材２のスライド操作においては、該操作部材２と共に可動側基板４がスライドすると、該可動側基板４の電極部２０がケーブル６の一端に取り付けられた摺動接点２３に対して摺動するため、ケーブル６が動くことがなく、可動側基板４によってケーブル６が引っ張られたりすることがない。このため、可動側基板４のスライド量を考慮してケーブル６の長さを予め長く設定しておく必要がなく、操作部材２が図３に示す初期位置にある状態においてもケーブル６が弛むことがない。
【００３８】
従って、ケーブル６が振動等によって他の部品と接触して異音が発生したり、削れによって断線する等の不具合が発生することがない。又、操作や振動等によってケーブル６の曲げ伸ばしが繰り返されることもないため、該ケーブル６の断線が発生することもない。
【００３９】
３）回転操作：
操作部材２が図３に示す初期位置にあるときからユーザーによってダイヤルノブ７が図７に示すように回転操作されると、該ダイヤルノブ７と共にロータ１２がホルダ１３や可動側基板４に対して回転し、可動側基板４に固定されたディテクタスイッチ１９の作動子１９ａがロータ１２の凹凸１２ｂによって傾き／戻り動作するためにダイヤルノブ７の回転操作と回転量がディテクタスイッチ１９によって検出される。
【００４０】
又、ユーザーがダイヤルノブ７を回転操作すると、該ダイヤルノブ７と共にロータ１２がホルダ１３に対して回転するため、スチールボール１８がロータ１２の突起１２Ａに形成された不図示の凹凸に選択的に係合するため、ダイヤルノブ７の回転操作にクリック感（節度感）が付与される。
【００４１】
而して、ダイヤルノブ７を回転操作した場合には、可動側基板４は不動であって、これに形成された電極２０とこれに接触する摺動接点２３との相対位置は不変である。このため、操作部材２が初期位置にある図３に示す状態と同様に、可動側基板４と固定側基板５とがケーブル６を介して電気的に接続される。又、このとき、ケーブル６は、操作部材２が初期位置にある図３に示す状態と操作部材２がスライド操作されて操作位置にある図５に示す状態と同様に動くことがなく、可動側基板４によってケーブル６が引っ張られたりすることがない。このため、可動側基板４のスライド量を考慮してケーブル６の長さを予め長く設定しておく必要がなく、操作部材２が図３に示す初期位置にある状態においてもケーブル６が弛むことがない。
【００４２】
従って、ケーブル６が振動等によって他の部品と接触して異音が発生したり、削れによって断線する等の不具合が発生することがない。又、操作や振動等によってケーブル６の曲げ伸ばしが繰り返されることもないため、該ケーブル６の断線が発生することもない。
【００４３】
以上のように、本実施の形態に係る入力装置１によれば、可動側基板４と固定側基板５とのケーブル６による電気的な接続を、可動側基板４に形成された電極部２０とケーブル６の一端に取り付けられた摺動接点２３との接触によって行うようにしたため、ケーブル６の弛みに起因する異音や断線の発生を防ぐことができるという効果が得られる。
【００４４】
又、本実施の形態においては、操作部材２に含まれるタッチパッド８からの信号が入力及び処理される可動側基板４をタッチパッド８の近傍に設けることができるため、該タッチパッド８と可動側基板４とを接続するタッチパッド配線部８ａの長さは短くて良く、入力装置１を、周辺の電子機器からの電磁波によるノイズを受けにくいものとすることができ、該入力装置１のノイズによる誤作動を防ぐことができるという効果も得られる。
【００４５】
＜実施の形態２＞
次に、本発明の実施の形態２を図８及び図９に基づいて以下に説明する。
【００４６】
図８は本発明の実施の形態２に係る入力装置の縦断面図、図９は同入力装置の操作部材をスライド操作した状態を示す縦断面図であり、これらの図においては図１〜図７において示したものと同一要素には同一符号を付しており、以下、それらについての再度の説明は省略する。
【００４７】
本実施の形態に係る入力装置１’においては、図８に示すように、可動側基板４と固定側基板５とを電気的に接続するためのケーブル６をホルダ１３によって挿通保持するとともに、その一端を可動側基板４にコネクタ３０を介して固定し、他端に摺動接点２３を取り付け、固定側基板５の上面の摺動接点２３に対向する箇所に電極部２０を形成したことを特徴としており、他の構成は前記実施の形態１に係る入力装置１の構成と同じである。尚、摺動接点２３は、ホルダ１３内に縮装された付勢手段であるコンタクトスプリング２４によって付勢されて電極部２０に押圧されている。
【００４８】
而して、本実施の形態に係る入力装置１’において、操作部材２が初期位置にあるときから該操作部材２が図９に示すように例えば左方にスライド操作されると、この操作部材２と共にホルダ１３とこれに挿通保持されたケーブル６、ホルダ１３に固定された可動側基板４、ダイヤルノブ７に固定されたロータ１２が一体となってスライダ２１とベース体３に対して左方にスライドする。このとき、操作部材２等のスライド量は、図９に示すように、ロータ１２がベース体３に当接することによって所定値に規制される。又、操作部材２がスライド操作されると、該操作部材２と共にスライドするホルダ１３に形成された凹凸１３ｂのスチールボール２５との係合が変化するため、操作部材２のスライド操作にクリック感（節度感）が付与される。
【００４９】
上述のように操作部材２がスライド操作されて該操作部材２と共に可動側基板４がスライドしても、ケーブル６は、可動側基板４と共にスライドするホルダ１３に挿通保持されているため、可動側基板４とケーブル６との相対位置は不変であって、ケーブル６に弛みや撓みが発生することがない。そして、この場合、ホルダ１３と共に一体にスライドするケーブル６の一端に取り付けられた摺動接点２３が固定側基板５の電極部２０上を摺動するため、可動側基板４と固定側基板５とのケーブル６による電気的な接続が維持される。
【００５０】
以上のように、スライド操作において可動側基板４やホルダ１３がスライド移動しても、これらとケーブル６との相対位置が変化しないため、ケーブル６が可動側基板４によって引っ張られたりすることがない。このため、可動側基板４のスライド量を考慮してケーブル６の長さを予め長く設定しておく必要がなく、操作部材２が初期位置にある状態においてもケーブル６が弛むことがない。従って、ケーブル６が振動等によって他の部品と接触して異音が発生したり、削れによって断線する等の不具合が発生することがない。又、操作や振動等によってケーブル６の曲げ伸ばしが繰り返されることもないため、該ケーブル６の断線が発生することもない。
【００５１】
尚、本実施の形態に係る入力装置１’において、操作部材２がプッシュ操作及び回転操作された場合の作用についての説明は省略するが、これらの場合の作用及び効果は前記実施の形態１に係る入力装置１のそれと同じである。
【符号の説明】
【００５２】
１，１’        入力装置
２              操作部材
３              ベース体
３Ａ            ベース体の円筒部
４              可動側基板
５              固定側基板
６              ケーブル
７              ダイヤルノブ
７ａ            ダイヤルノブの係合爪
８              タッチパッド
８ａ            タッチパッド配線部
９              リング
９ａ            リングの係合孔
１０            ディスプレイ
１１            三角印
１２            ロータ
１２Ａ          ロータの突起
１２ａ          ロータの係合孔
１２ｂ          ロータの凹凸
１３            ホルダ
１３Ａ，１３Ｂ  ホルダのボス
１３ａ          ホルダの係合爪
１３ｂ          ホルダの凹凸
１３ｃ          ホルダの円孔
１４            ネジ
１５            コネクタ
１７            アクションスプリング
１８            スチールボール
１９            ディテクタスイッチ
１９ａ          ディテクタスイッチの作動子
２０            電極部
２０ａ          第１電極部
２０ｂ〜２０ｉ  第２電極部
２１            スライダ
２１Ａ〜２１Ｃ  スライダのボス
２１Ｄ          スライダの押圧子
２２            コネクタ
２３            摺動接点
２４            コンタクトスプリング（付勢手段）
２５            スチールボール
２６            アクションスプリング
２７            ブッシュ
２８            ネジ
２９            モメンタリスイッチ
３０            コネクタ
【図１】
2019109976.tif 000003
【図２】
2019109976.tif 000004
【図３】
2019109976.tif 000005
【図４】
2019109976.tif 000006
【図５】
2019109976.tif 000007
【図６】
2019109976.tif 000008
【図７】
2019109976.tif 000009
【図８】
2019109976.tif 000010
【図９】
2019109976.tif 000011